(57)【要約】【課題】  高調波の周波数による視聴チャンネルのＳ／Ｎ比の悪化を回避できる放送受信装置、放送受信方法、および放送受信プログラムを提供すること。【解決手段】  入力装置１２０は、ＣＰＵ１１２へ指定チャンネルを通知する。ＣＰＵ１１２は、指定チャンネルが、メモリ１０２の劣化チャンネルリストに列挙されている劣化チャンネルに該当する場合、ＬＣＤ動作クロックを切り替える。ＣＰＵ１１２は、受信回路１０１に指定チャンネルの帯域を指定する信号を送信する。受信回路１０１は、指定チャンネルに対応する受信データを入力部１１１へ送信する。入力部１１１は、ＣＰＵ１１２へ受信データを送信する。ＣＰＵ１１２は、映像信号を生成し、出力部１１３は、フレキシブルケーブル１３１を介して表示装置１３０に映像信号を送信する。【選択図】図１
2014212455.tif 000002
【特許請求の範囲】
【請求項１】
指定チャンネルの帯域が、表示装置に第１の伝送クロックで信号を送信するときに生じる輻射の周波数に含まれるか否かを判定し、
前記指定チャンネルの帯域が前記輻射の周波数に含まれる場合、前記第１の伝送クロックを第２の伝送クロックに切り替えるプロセッサ、
を備える放送受信装置。
【請求項２】
伝送クロックごとに、輻射により劣化する各劣化チャンネルを含む劣化チャンネルリストを保持する記憶領域をさらに備え、
前記プロセッサは、前記劣化チャンネルリストを基にして前記輻射の周波数を含む指定チャンネルを特定する、
請求項１に記載の放送受信装置。
【請求項３】
前記記憶領域は、各受信チャンネルの帯域を保持しており、
前記プロセッサは、輻射に対応する各高調波の周波数を算出し、
前記各高調波の周波数を帯域に含む各受信チャンネルをそれぞれ判定し、
判定結果に基づき劣化チャンネルリストを作成する、
請求項２に記載の放送受信装置。
【請求項４】
前記プロセッサは、前記劣化チャンネルリストを参照し、第１の伝送クロックで劣化チャンネル以外の受信チャンネルをスキャンし、
前記プロセッサは、前記第１の動作クロックに係る各劣化チャンネルが含まれない第２の伝送クロックを選択し、
前記第２の伝送クロックで、前記第１の伝送クロックに係る劣化チャンネルをスキャンすることによりチャンネルスキャンをおこなう、
請求項３に記載の放送受信装置。
【請求項５】
コンピュータが実行する放送受信方法であって、
指定チャンネルの帯域が、表示装置に第１の伝送クロックで信号を送信するときに生じる輻射の周波数に含まれるか否かを判定し、
前記指定チャンネルの帯域が前記輻射の周波数に含まれる場合、前記第１の伝送クロックを第２の伝送クロックに切り替える、
処理を実行する放送受信方法。
【請求項６】
コンピュータに、
指定チャンネルの帯域が、表示装置に第１の伝送クロックで信号を送信するときに生じる輻射の周波数に含まれるか否かを判定し、
前記指定チャンネルの帯域が前記輻射の周波数に含まれる場合、前記第１の伝送クロックを第２の伝送クロックに切り替える、
処理を実行させる放送受信プログラム。
【発明の詳細な説明】
【技術分野】
【０００１】
本発明は、放送受信装置、放送受信方法、および放送受信プログラムに関する。
【背景技術】
【０００２】
最近、携帯電話等の小型通信端末にフルセグ対応チューナーを有するものがある。地上デジタル放送の各チャンネルの帯域は、１３の領域に分割されており、ワンセグ放送では１つの領域のみ使用する。一方、フルセグ放送では全ての領域を使用するので、ワンセグ放送に比べてＬＣＤ表示パネルに送信されるデータ量が大きく、地上デジタル放送を高解像度で表示することができる。
【０００３】
ところが、フルセグ放送では装置内に発生した不要輻射によりＳ／Ｎ比が悪化して所定のチャンネルを受信できない場合やチャンネルの表示画質が低下する場合がある。通信端末は、ＬＣＤ表示パネルに映像を表示する際、プロセッサが映像信号を生成し、所定のＬＣＤ動作クロックでＬＣＤ表示パネルに映像信号を送信する。当該映像信号は、ＬＣＤ表示パネルとプロセッサとを結ぶフレキシブルケーブルを介して送信される。この際、このフレキシブルケーブルで不要輻射が生じ、通信端末のアンテナはこの不要輻射を地上デジタル放送の放送波と共に受信することがある。そして、この不要輻射により、地上デジタル放送にノイズが入る場合がある。
【０００４】
不要輻射は複数の高調波成分を有し、そのいくつかは地デジ受信帯域と重なる。ワンセグ放送では、全ての受信チャンネルの帯域が高調波の周波数を含まないように設定できるが、フルセグ放送では、全ての受信チャンネルの帯域が高調波の周波数を含まないように設定するのは困難である。具体的には、ワンセグ放送では１３の領域のうち１つの領域のみ使用しており、各受信チャンネルに使用する帯域幅が０．４３ＭＨｚと狭く、各チャンネルが６ＭＨｚごとに離散している。このため、各受信チャンネルの帯域に高調波の周波数が含まれないように、ＬＣＤ動作クロックを設定することが可能である。一方、フルセグ放送では全ての領域を使用するので、全ての受信チャンネルに高調波の周波数が含まれないように、ＬＣＤ動作クロックを設定することができない。このため、地上デジタル放送で使用するいずれかの受信チャンネルの帯域に高調波の周波数が含まれることになる。
【０００５】
高調波の周波数を帯域に含む受信チャンネルは、高調波と受信チャンネルの放送波とが干渉し合いＳ／Ｎ比が悪化することにより、受信チャンネルの表示画質が低下する場合や、受信チャンネルを表示できない場合がある。
【先行技術文献】
【特許文献】
【０００６】
【特許文献１】特開２００１−０７７７１２号公報
【発明の概要】
【発明が解決しようとする課題】
【０００７】
しかしながら、高調波の周波数による視聴チャンネルのＳ／Ｎ比の悪化を回避できないという問題がある。
【０００８】
装置内で発生する不要輻射の高調波が受信チャンネルの帯域に含まれる場合、不要輻射の発生源であるフレキシブルケーブルとアンテナとの距離を大きくすれば、アンテナに混入する不要輻射を減らすことができ、ノイズを軽減できる。ところが、携帯電話等の小型の通信端末では、フレキシブルケーブルとアンテナとの距離を十分にとるのが困難である。
【０００９】
一方、不要輻射の発生源であるフレキシブルケーブルを板金で囲うことによりシールドを形成すれば、アンテナに混入する不要輻射を軽減できる。ところが、フレキシブルケーブルには比較的柔らかい素材を使用しており、ＬＣＤパネルとプロセッサとの間にある部品を迂回する等して複雑な経路をとる場合がある。この場合、フレキシブルケーブルを板金で囲い十分なシールドをするのが困難である。
【００１０】
１つの側面では、高調波の周波数による視聴チャンネルのＳ／Ｎ比の悪化を回避できる放送受信装置、放送受信方法、および放送受信プログラムを提供することを目的とする。
【課題を解決するための手段】
【００１１】
第１の案では、放送受信装置が備えるプロセッサは、指定チャンネルの帯域が、表示装置に第１の伝送クロックで信号を送信するときに生じる輻射の周波数に含まれるか否かを判定する。さらに、プロセッサは、指定チャンネルの帯域が輻射の周波数に含まれる場合、第１の伝送クロックを第２の伝送クロックに切り替える。
【発明の効果】
【００１２】
本発明の１実施態様によれば、高調波の周波数による視聴チャンネルのＳ／Ｎ比の悪化を回避できるという効果を奏する。
【図面の簡単な説明】
【００１３】
【図１】図１は、本実施態様に係る放送受信装置の構成を示すブロック図である。
【図２】図２は、地域チャンネルリストを説明するための図である。
【図３】図３は、劣化チャンネルリストを説明するための図である。
【図４】図４は、ＬＣＤ動作クロックが４５０ＭＨｚの時に生じる不要輻射の各高調波によりＳ／Ｎ比が悪化する劣化チャンネルを示す図である。
【図５】図５は、ＬＣＤ動作クロックが４６０ＭＨｚの時に生じる不要輻射の各高調波によりＳ／Ｎ比が悪化する劣化チャンネルを示す図である。
【図６】図６は、受信チャンネルを指定した際の処理の流れを説明するためのフロー図である。
【図７】図７は、本実施態様に係るチャンネルスキャンの方法を説明するための図である。
【図８】図８は、本実施態様に係るチャンネルスキャンの処理の流れを説明するためのフロー図である。
【発明を実施するための形態】
【００１４】
以下に、本願の開示する放送受信装置、放送受信方法、および放送受信プログラムの実施例を図面に基づいて詳細に説明する。なお、この実施例によりこの発明が限定されるものではない。各実施例は、処理内容を矛盾させない範囲で適宜組み合わせることが可能である。
【実施例１】
【００１５】
実施例１に係る放送受信装置の機能構成の一例について説明する。図１は、本実施態様に係る放送受信装置の構成を示すブロック図である。図１に示すように、この放送受信装置１０は、基板１００を有する。基板１００には、コネクタ１０３を介してアンテナ１１０が接続され、コネクタ１０４に接続されたフレキシブルケーブル１３１を介して表示装置１３０が接続され、コネクタ１０５に接続されたフレキシブルケーブル１２１を介して入力装置１２０が接続される。表示装置１３０は、受信チャンネルを表示するＬＣＤ表示パネル等である。また、入力装置１２０は、タッチパネル、キーボード、マウス等の入力デバイスであり、例えば、タッチパネルを操作することにより表示装置１３０に表示する受信チャンネルを指定できる。
【００１６】
基板１００は、受信回路１０１と、メモリ１０２と、プロセッサ１１０とを有する。プロセッサ１１０は、入力部１１１と、ＣＰＵ１１２と、出力部１１３とを有する。なお、プロセッサ１１０内部に設置されているバス１１４を介して、入力部１１１、ＣＰＵ１１２、出力部１１３、およびメモリ１０２の間でデータを送受信する。
【００１７】
（放送受信装置全体の処理）
アンテナ１１０は、親局または中継局から地上デジタル放送を受信する。アンテナ１１０は、放送受信装置に内蔵していても、外部に露出していてもよい。アンテナ１１０は、受信した放送波を、コネクタ１０３を介して基板１００内部の受信回路１０１に送信する。
【００１８】
受信回路１０１は、受信した全帯域の放送波のうち、所定のチャンネル群に対応する放送波を中心に受信データに変換する。そして、受信回路１０１は、生成した受信データのうち、入力装置１２０により選択された指定チャンネルに係る受信データを、入力部１１１に送信する。
【００１９】
受信回路１０１が指定チャンネルに係る受信データを入力部１１１に送信するまでの処理について説明する。入力装置１２０は受信チャンネルを指定する操作を受け付け、フレキシブルケーブル１２１を介して指定チャンネルをＣＰＵ１１２に送信する。ＣＰＵ１１２は、受信回路１０１に指定チャンネルの帯域を指定する信号を送信し、受信回路１０１は、指定チャンネルに対応する受信データを入力部１１１へ送信する。
【００２０】
受信データを受信した入力部１１１は、バス１１４を介して受信データをＣＰＵ１１２に送信する。ＣＰＵ１１２は、このとき、メモリ１０２の劣化チャンネルリストを参照する。ＣＰＵ１１２は、指定チャンネルが劣化チャンネルに該当する場合、出力部１１３にＬＣＤ動作クロック切替命令を送信して他のＬＣＤ動作クロックに切り替える。なお、劣化チャンネルリストの設定およびＬＣＤ動作クロックの切り替えに関しては後述する。
【００２１】
次いで、ＣＰＵ１１２は、受信データを基に映像信号を生成し、当該映像信号を、バス１１４を介して出力部１１３へ送信する。出力部１１３は、フレキシブルケーブル１３１を介して所定のＬＣＤ動作クロックで映像信号を表示装置１３０へ送信する。なお、出力部１１３は、ＣＰＵ１１２よりＬＣＤ動作クロック切替命令を受信した場合、映像信号を送信する際に他のＬＣＤ動作クロックを使用する。そして、表示装置１３０は、受信した映像信号に基づいて指定チャンネルの映像を画面に表示する。
【００２２】
（劣化チャンネルリストの設定）
メモリ１０２は、地域チャンネルリスト３０１と、劣化チャンネルリスト３０２とを保持する。メモリ１１０は、例えば、ＲＡＭ（Random  access  Memory）、ＲＯＭ（Read  Only  Memory）、フラッシュメモリ（Flash  Memory）などの半導体メモリ素子、ハードディスクや光ディスクなどの記憶装置に対応する。
【００２３】
図２および図３を用いて、地域チャンネルリスト３０１と劣化チャンネルリスト３０２の構成について説明する。図２は、地域チャンネルリスト３０１を説明するための図である。地上デジタル放送で使用される帯域は、４７０ＭＨｚから７１０ＭＨｚである。各チャンネルには６ＭＨｚの帯域が割り当てられ、地上デジタル放送のチャンネル数は全部で４０となる。メモリ１０２は、地域ごとに視聴できるチャンネルが異なるので、地域ごとに受信可能なチャンネルを列挙した地域チャンネルリスト３０１を保持している。例えば、メモリ１０２は、図２のように、受信できるチャンネルが異なる地域ａおよび地域ｂの地域チャンネルリスト３０１を保持しており、受信できるチャンネルがそれぞれの地域で異なる。
【００２４】
図３は、劣化チャンネルリスト３０２を説明するための図である。図３に示すように、劣化チャンネルリスト３０２は、ＬＣＤ動作クロックの設定ごとに劣化チャンネルを列挙したものである。例えば、ＬＣＤ動作クロックが４５０ＭＨｚの設定Ａの場合、１４ｃｈは劣化チャンネルに含まれるが、１５ｃｈは劣化チャンネルに含まれない。一方、ＬＣＤ動作クロックが４６０ＭＨｚの設定Ｂの場合、１４ｃｈは劣化チャンネルに含まれないが、１５ｃｈは劣化チャンネルに含まれる。そこで、出力部１１３は、１４ｃｈを受信チャンネルに指定した場合、ＬＣＤ動作クロックを４６０ＭＨｚで映像信号を送信する一方、１５ｃｈを受信チャンネルに指定した場合は、ＬＣＤ動作クロックを４５０ＭＨｚで映像信号を送信する。これにより、不要輻射の発生に起因して受信チャンネルのＳ／Ｎ比が悪化するのを回避できる。
【００２５】
次に、図４および図５を用いて不要輻射の各高調波と受信チャンネルの帯域との関係を説明する。図４は、ＬＣＤ動作クロックが４５０ＭＨｚの時に生じる不要輻射の各高調波によりＳ／Ｎ比が悪化する劣化チャンネルを示す図である。アンテナ１１０は、出力部１１３が表示装置１３０へ映像信号を送信する際、フレキシブルケーブル１３１で生じる不要輻射を受信する。図４に示されているｎ次、ｎ＋１次、ｎ＋２次等の不要輻射に係る各次数の高調波の周波数は、ＬＣＤ動作クロックから算出できる。放送受信装置１０は、各次数の高調波の周波数と、各受信チャンネルの帯域とに基づき劣化チャンネルを抽出する。メモリ１０２は、抽出された各劣化チャンネルをＬＣＤ動作クロックごとに列挙して、劣化チャンネルリスト３０２に保持している。なお、高調波の周波数の算出、および劣化チャンネルの認定等の詳細は後述する。
【００２６】
例えば、図４のように、各高調波の周波数は、表示部１３０に送信するＬＣＤ動作クロックを４５０ＭＨｚとしたとき、ｎ次の高調波が１４ｃｈの帯域に、ｎ＋１次の高調波が１７ｃｈの帯域に、ｎ＋２次の高調波が２０ｃｈの帯域に含まれる。受信チャンネルのＳ／Ｎ比は、１４ｃｈ等の帯域に各次数の高調波が含まれることにより悪化する。放送受信装置１０は、図３の劣化チャンネルリスト３０２に１４ｃｈ等の劣化チャンネルを列挙したものを、ＬＣＤ動作クロックの設定Ａに対応付けてメモリ１０２に記憶している。これにより、放送受信装置１０は、ＬＣＤ動作クロックを切り替える受信チャンネルを把握することができる。
【００２７】
なお、受信回路１０１は、ワンセグ放送を受信する場合、図４に示したように、ワンセグ放送の受信帯域２０３ａにおける各チャンネルの帯域幅は狭く、使用しない帯域幅が大きい。このため、受信回路１０１は、ワンセグ放送の受信帯域２０３ａの受信帯域に高調波が含まれていても、ＬＣＤ動作クロックを変更すれば、高調波により受信チャンネルのＳ／Ｎ比が悪化するのを回避できる。なお、ワンセグ放送の受信機能を使用したチャンネルスキャンの方法の詳細は後述する。
【００２８】
図５は、ＬＣＤ動作クロックが４６０ＭＨｚの時に生じる不要輻射の各高調波によりＳ／Ｎ比が悪化する劣化チャンネルを示す図である。図５のように、表示装置１３０に送信するＬＣＤ動作クロックを４６０ＭＨｚとしたとき、ｎ次の高調波が１５ｃｈの帯域に、そして、ｎ＋１次の高調波が１９ｃｈの帯域に含まれることになる。このため、１５ｃｈ等の帯域に高調波が含まれる受信チャンネルのＳ／Ｎ比が悪化する。放送受信装置１０は、図３の劣化チャンネルリスト３０２に１５ｃｈ等の劣化チャンネルを列挙したものを、ＬＣＤ動作クロックの設定Ｂに関連付けてメモリ１０２に記憶している。これにより、放送受信装置１０は、ＬＣＤ動作クロックを切り替える受信チャンネルを把握することができる。
【００２９】
次に、各ＬＣＤ動作クロックに対応する劣化チャンネルの判定方法について説明する。まず、不要輻射に含まれる各高調波の周波数をそれぞれ算出する。不要輻射に含まれる各高調波の周波数は、ＬをＬＣＤクロック周波数、Ｘをｎ次高調波の周波数、ｎを高調波の次数としたとき、以下の式（１）により算出できる。
【００３０】
Ｘ＝Ｌ／１２×ｎ・・・（１）
【００３１】
次いで、各受信チャンネルの帯域の上限および下限の周波数を算出する。Ｙhを受信チャンネルの帯域の上限、Ｙlを受信チャンネルの帯域の下限、Ｃを受信チャンネルの番号としたとき、受信チャンネルの帯域の上限は式（２）、受信チャンネルの帯域の下限は式（３）により算出できる。
【００３２】
Ｙh＝４７６．１４３[ＭＨｚ]＋６[ＭＨｚ]×（Ｃ−１３）・・・（２）
【００３３】
Ｙl＝４７０．１４３[ＭＨｚ]＋６[ＭＨｚ]×（Ｃ−１３）・・・（３）
【００３４】
次いで、高調波の周波数を含む各受信チャンネルである各劣化チャンネルを判定する。上記式（１）〜（３）により、各高調波の周波数と、各受信チャンネルの上限値および下限値とを算出する。Ｘをｎ次の高調波の周波数、Ｙhを受信チャンネルの帯域の上限、Ｙlを受信チャンネルの下限としたとき、以下の式（４）により受信チャンネルが高調波の周波数を含むか否かを判定することができる。
【００３５】
Ｙl  ≦  ｎ  ≦  Ｙh・・・（４）
【００３６】
また、各高調波は、ピークを中心として裾野を有するため、裾野の幅を考慮して受信チャンネルの帯域に高調波が含まれるか否かを判定してもよい。裾野の幅をｒとしたとき、以下の式（５）により受信チャンネルが高調波の周波数を含むか否かを判定することができる。
【００３７】
（Ｙl−ｒ）  ≦  ｎ  ≦  （Ｙh＋ｒ）・・・（５）
【００３８】
（受信チャンネル指定時の処理の流れ）
次に、図６を用いて受信チャンネルが指定された際に、放送受信装置１０がＬＣＤ動作クロックを切り替えるまでの処理について説明する。図６は、受信チャンネルを指定した際の処理の流れを説明するためのフロー図である。図６に示したように、ＣＰＵ１１２は、現在使用されているＬＣＤ動作クロックが設定Ａであるか否かを判定する（ステップＳ１０）。ＣＰＵ１１２は、ＬＣＤ動作クロックが設定Ａであった場合（ステップＳ１０Yes）、メモリ１０２の劣化チャンネルリスト３０２を参照し、指定チャンネルが設定Ａに係る劣化チャンネルに該当するか否かを判定する（ステップＳ１１）。ＣＰＵ１１２は、指定チャンネルが劣化チャンネルに該当する場合（ステップＳ１１Yes）、出力部１１３にＬＣＤ動作クロック切替命令を送信することにより、ＬＣＤ動作クロックの設定を設定Ａから設定Ｂに切り替える（ステップＳ１２）。一方、ＣＰＵ１１２は、指定チャンネルが劣化チャンネルに該当しない場合（ステップＳ１１No）、ＬＣＤ動作クロックの設定を切り替えず、ステップＳ１３へ進む。そして、ＣＰＵ１１２は、受信回路１０１に指定チャンネルを通知し、受信回路１０１は、指定チャンネルに係る受信データを送信し、ＣＰＵ１１２は、当該受信データに基づき映像信号を生成し、出力部１１３へ送信する。出力部１１３は、フレキシブルケーブル１３１を介して、設定されたＬＣＤクロック周波数で映像信号を表示装置１３０へ送信する。これにより、放送受信装置１０は、受信チャンネルを指定チャンネルに切り替える（ステップＳ１３）。
【００３９】
一方、ＣＰＵ１１２は、ステップＳ１０において、ＬＣＤ動作クロックの設定が設定Ａでない場合（ステップＳ１０No）、設定Ｂと判定する。次いで、ＣＰＵ１１２は、メモリ１０２の劣化チャンネルリスト３０２を参照し、指定チャンネルが設定Ｂに係る劣化チャンネルに該当するか否かを判定する（ステップＳ１４）。ＣＰＵ１１２は、指定チャンネルが劣化チャンネルに該当する場合（ステップＳ１４Yes）、出力部１１３にＬＣＤ動作クロック切替命令を送信することにより、ＬＣＤ動作クロックの設定を設定Ｂから設定Ａに切り替える（ステップＳ１５）。一方、ＣＰＵ１１２は、指定チャンネルが劣化チャンネルに該当しない場合（ステップＳ１４No）、ＬＣＤ動作クロックを切り替えず、ステップＳ１３へ進む。次いで、放送受信装置１０は、先述した処理手順で指定チャンネルに係る映像信号を表示装置に送信し、受信チャンネルを指定チャンネルに切り替える（ステップＳ１３）。
【００４０】
上述したように放送受信装置１０は、プロセッサ１１０を有し、プロセッサ１１０は、指定チャンネルの帯域が、表示装置１３０に第１の伝送クロックで信号を送信するときに生じる輻射の周波数に含まれるか否かを判定する。また、プロセッサ１１０は、指定チャンネルの帯域が輻射の周波数に含まれる場合、第１の伝送クロックを第２の伝送クロックに切り替える。これにより、高調波の周波数による視聴チャンネルのＳ／Ｎ比の悪化を回避できるという効果を奏する。
【実施例２】
【００４１】
（チャンネルスキャンの方法）
東京タワー、スカイツリー等の広域に地上デジタル放送の放送波を送信する電波塔を親局と呼び、この親局が５０％以上の地域へ地上デジタル放送を配信している。一方、盆地の地域等、周囲が山に囲まれている地域では、親局からの放送波が山によって妨害され、親局からの放送波を、当該地域に設置されているアンテナが受信できない場合がある。そこで、当該地域においては親局とは別に中継局を設置し、各住居は中継局から親局と同じ内容の地上デジタル放送を受信する。中継局は、親局と同じチャンネルに係る放送波を送信するとき、親局の放送波と干渉するのを避けるため、異なる帯域の放送波を送信する。これにより、受信チャンネルのＳ／Ｎ比が低下するのを避ける。
【００４２】
ところが、放送受信装置１０は、中継局から放送波を受信する場合、各受信チャンネルに親局とは異なる帯域を使用しているため、地域チャンネルリスト３０１を使用することができない。そこで、放送受信装置１０は、チャンネルスキャンを行い、オリジナルチャンネルリスト３０３を作成し、中継局から放送波を受信する場合に使用する。チャンネルスキャンとは、地上デジタル放送で使用される各受信チャンネルに対して、実際に視聴可能かそれぞれ調べることをいう。放送受信装置１０は、事前に各受信チャンネルを視聴できるかをチャンネルスキャンで調べ、受信できるチャンネルをオリジナルチャンネルリスト３０３に登録する。
【００４３】
具体的には、放送受信装置１０は、チャンネルスキャンを以下の手順でおこなってもよい。まず、放送受信装置１０のＣＰＵ１１２は、受信回路１０１にチャンネルスキャン命令を送信し、受信回路１０１は入力部１１１へ各受信チャンネルの受信データを送信する。入力部１１１はＣＰＵ１１２で受信チャンネルが当該地域において使用されているか否かを判定する。ＣＰＵ１１２は、受信チャンネルが使用されていると判定した場合、オリジナルチャンネルリスト３０３に当該受信チャンネルを登録する。
【００４４】
しかしながら、チャンネルスキャンをする際、各受信チャンネルが視聴可能か否かを判定するのを、不要輻射が妨害するという問題がある。先述したように、出力部１１３が表示装置１３０に映像信号の送信する際、不要輻射が発生し、当該不要輻射をアンテナ１１０が受信することになる。不要輻射は、高調波を複数含んでおり、受信チャンネルの帯域が高調波の周波数を含む場合、受信チャンネルのＳ／Ｎ比が悪化し、劣化チャンネルとなる。ＣＰＵ１１２は、チャンネルスキャンで当該劣化チャンネルを指定したとき、劣化チャンネルにはノイズが含まれるので、当該劣化チャンネルに係る受信チャンネルが使用されていないと誤って判定する場合がある。
【００４５】
そこで、放送受信装置１０は、劣化チャンネルリスト３０２を参照して、劣化チャンネル以外を先にチャンネルスキャンした後、他のＬＣＤ動作クロック周波数に切り替え、劣化チャンネルをチャンネルスキャンすることにした。これにより、不要輻射がチャンネルスキャンを妨害するのを回避できる。
【００４６】
チャンネルスキャンの方法について具体例を挙げて説明する。図７は、本実施態様に係るチャンネルスキャンの方法を説明するための図である。まず、ＣＰＵ１１２は、現在のＬＣＤ動作クロックの設定を確認する。次いで、ＣＰＵ１１２は、メモリ１０２の劣化チャンネルリスト３０２を参照し、現在のＬＣＤ動作クロックの設定に係る劣化チャンネルを確認する。図７によると、ＬＣＤ動作クロックの設定Ａに係る受信帯域２１２ａの劣化チャンネルは、１４ｃｈ、１７ｃｈ、および２０ｃｈである。
【００４７】
次いで、ＣＰＵ１１２は、劣化チャンネル以外の受信チャンネルである１３ｃｈ、１５ｃｈ、１６ｃｈ等に対応する帯域を指定し、指定した帯域を受信回路１０１に通知する。受信回路１０１は、通知された帯域に係る受信データを入力部１１１に入力する。入力部１１１は、バス１１４を介してＣＰＵ１１２に受信データを送信する。そして、ＣＰＵ１１２は、受信データに基づき、指定された帯域が受信チャンネルに使用されているかを確認することにより、当該帯域に係る受信データが受信チャンネルに使用されているか否かを判定する。ＣＰＵ１１２は、指定された帯域が受信チャンネルに使用されていると判定した場合、メモリ１０２にアクセスし、オリジナルチャンネルリスト３０３に当該受信チャンネルを登録する。
【００４８】
放送受信装置１０は、他の劣化チャンネル以外の受信チャンネルに対して上記操作を繰り返すことにより、オリジナルチャンネルリスト３０３を作成する。ＣＰＵ１１２は、劣化チャンネル以外の受信チャンネル全てをオリジナルチャンネルリスト３０３に登録した後、ＬＣＤ動作クロック切替信号を出力部１１３に送信する。ＣＰＵ１１２は、劣化チャンネルに係る帯域を指定し、受信回路１０１は、当該帯域に係る受信データを入力部１１１に入力する。その後、放送受信装置１０は、上記と同様に劣化チャンネルに対してチャンネルスキャンをおこない、全ての受信チャンネルをオリジナルチャンネルリスト３０３に登録する。
【００４９】
（チャンネルスキャンの処理の流れ）
次に、図８を用いてチャンネルスキャンの処理手順について説明する。図８は、本実施態様におけるチャンネルスキャンの処理の流れを説明するためのフロー図である。図８に示したように、ＣＰＵ１１２は、出力部１１３から映像信号を送信するのに使用されているＬＣＤ動作クロックの設定がＡか否かを判定する（ステップＳ２０）。ＣＰＵ１１２は、ＬＣＤ動作クロックの設定がＡでない場合（ステップＳ２０No）、ＬＣＤ動作クロックの設定をＡに切り替える（ステップＳ２１）。一方、ＣＰＵ１１２は、ＬＣＤ動作クロックの設定がＡである場合（ステップＳ２０Yes）、ＬＣＤ動作クロックの切り替えず、ステップＳ２２に進む。
【００５０】
次いで、放送受信装置１０は、ＬＣＤ動作クロックの設定がＡの場合の劣化チャンネル以外をスキャンする（ステップＳ２２）。具体的には、ＣＰＵ１１２は、劣化チャンネル以外の受信チャンネルを受信回路１０１に通知する。受信回路１０１は、通知された受信チャンネルの帯域に係る受信データを、プロセッサ１１０の入力部１１１に送信し、入力部１１１は、当該受信データをＣＰＵ１１２に送信する。ＣＰＵ１１２は、当該受信データに基づき当該帯域が受信チャンネルに使用されていると判定した場合、ＣＰＵ１１２は、オリジナルチャンネルリスト３０３に当該受信チャンネルを登録する。
【００５１】
放送受信装置１０は、全ての劣化チャンネル以外をスキャンした後、ＣＰＵ１１２は出力部１１３にＬＣＤ動作クロック切替命令を送信し、ＬＣＤ動作クロックの設定をＢに変更する（ステップＳ２３）。次いで、放送受信装置１０は、チャンネルスキャンを留保していた全ての劣化チャンネルを、上記と同様にしてスキャンする（ステップＳ２４）。
【００５２】
（劣化チャンネルリストの作成）
放送受信装置１０は、親局から地上デジタル放送を受信する場合、親局からの放送波の帯域と、ＬＣＤ動作クロックの各設定の高調波の周波数とを照らし合わせれば、放送受信装置１０に係る製品の出荷前にあらかじめ劣化チャンネルリスト３０２を作成できる。一方、放送受信装置１０は、中継局から地上デジタル放送を受信する場合、各受信チャンネルが使用する帯域が不明なので、製品の出荷前に劣化チャンネルリスト３０２を作成することができない。そこで、放送受信装置１０は、チャンネルスキャンする際にオリジナルチャンネルリスト３０３に対応する劣化チャンネルリスト３０２を作成してもよい。
【００５３】
具体的には、ＣＰＵ１１２は、現在のＬＣＤ動作クロックを式（１）に代入して、各高調波の周波数を算出する。ＣＰＵ１１２は、オリジナルチャンネルリスト３０３を参照し、算出された各高調波の周波数を使用帯域に含む受信チャンネルをそれぞれ選択する。そして、ＣＰＵ１１２は、選択した受信チャンネルを劣化チャンネルリスト３０２に登録する。これにより、放送受信装置１０は、オリジナルチャンネルリスト３０３に対応する劣化チャンネルリスト３０２を作成することができる。
【００５４】
（チャンネルスキャンの高速化）
以上で説明したチャンネルスキャンでは、ＬＣＤ動作クロックの切り替えがなされるが、ＬＣＤ動作クロックの切り替えに時間がかかるため、チャンネルスキャンにも相当の時間がかかることになる。そこで、放送受信装置１０は、フルセグ放送以外にワンセグ放送を受信する機能も有する場合、当該機能を利用してチャンネルスキャンしてもよい。
【００５５】
ワンセグ放送を受信する機能を使用してチャンネルスキャンする際の操作について説明する。ＣＰＵ１１２は、ワンセグ放送のチャンネルに係る帯域を受信回路１０１に通知し、受信回路１０１は、通知された帯域に係る受信データを入力部１１１に送信する。入力部１１１は、バス１１４を介してＣＰＵ１１２に受信データを送信する。ＣＰＵ１１２は、当該帯域に係る受信データがワンセグ放送に使用されているか判定する。そして、ＣＰＵ１１２は、使用されていると判定した場合、ワンセグ放送のチャンネルに係る受信帯域に基づき、対応するフルセグ放送のチャンネルの受信帯域を求め、メモリ１０２のオリジナルチャンネルリスト３０３に登録する。なお、地上デジタル放送のフルセグ放送に係る各チャンネルは、全ての領域を使用する。一方、ワンセグ放送に係る各チャンネルは、１３の領域のうち、中央の１の領域のみを使用する。このため、ワンセグ放送の受信帯域が分かれば、当該受信帯域からフルセグ放送の受信帯域を求めることができる。
【００５６】
（ＬＣＤ動作クロック切り替え時のＬＣＤ描写停止に伴う対処）
ＣＰＵ１１２がＬＣＤ動作クロックを切り替える際、出力部１１３から表示装置１３０への映像送信が停止する。そして、ＣＰＵ１１２は、ＬＣＤ動作クロックを切り替えた後、表示装置１３０への映像送信を再開する。このため、ＣＰＵ１１２がＬＣＤ動作クロックを切り替える際、映像送信が再開されるまで表示装置１３０の画面が黒画面となる。
【００５７】
ところで、ＬＣＤ動作クロック切替命令は、ＣＰＵに割り込み要求をすることによりなされる。このため、ＣＰＵ１１２は、すでにＣＰＵに優先度の高い割り込み要求が多数なされている場合、ＬＣＤ動作クロック切替命令が待ち行列の後方に配置されるので、ＬＣＤ動作クロック切替命令が実行されるのに１〜６秒程度の時間がかかることがある。
【００５８】
そこで、放送受信装置１０は、劣化チャンネル数が少ないＬＣＤ動作クロックをメイン設定としてもよい。これにより、放送受信装置１０は、ＬＣＤ動作クロックの切り替え回数を減らすことができ、チャンネルを切り替える際に映像が停止するのを少なくすることができる。具体的には、放送受信装置１０は、劣化チャンネル数が少ないＬＣＤ動作クロックを選定するために、劣化チャンネルリスト３０２を参照し、劣化チャンネルが最も少ないＬＣＤ動作クロックをメイン設定としてもよい。
【００５９】
また、地上デジタル放送のチャンネル数は全部で４０であるが、一地域で全てのチャンネルを使用することはなく、地域によって使用するチャンネルは異なる。そこで、放送受信装置は、地域チャンネルリスト３０１ごとに劣化チャンネル数が少ないＬＣＤクロックの設定を選定し、地域チャンネルリスト３０１ごとにＬＣＤ動作クロックのメイン設定を選定してもよい。
【００６０】
また、ＣＰＵ１１２がＬＣＤ動作クロックを切り替える際、直前に表示装置１３０に表示されていた映像に係る静止画を表示してもよい。そのために、放送受信装置１０は、出力部１１３から送信される映像信号を基にして、現在、表示装置１３０に表示されている映像に係る静止画を定期的に表示部１３０側に設置されたバッファに記憶する。そして、放送受信装置１０は、ＬＣＤ動作クロックを切り替える際に、当該静止画を表示装置１３０に表示してもよい。これにより、映像が停止して黒画面となるのを避けることができる。
【００６１】
以上の各実施例を含む実施形態に関し、さらに以下の付記を開示する。
【００６２】
（付記１）指定チャンネルの帯域が、表示装置に第１の伝送クロックで信号を送信するときに生じる輻射の周波数に含まれるか否かを判定し、
前記指定チャンネルの帯域が前記輻射の周波数に含まれる場合、前記第１の伝送クロックを第２の伝送クロックに切り替えるプロセッサ、
を備える放送受信装置。
【００６３】
（付記２）伝送クロックごとに、輻射により劣化する各劣化チャンネルを含む劣化チャンネルリストを保持する記憶領域をさらに備え、
前記プロセッサは、前記劣化チャンネルリストを基にして前記輻射の周波数を含む受信チャンネルを特定する、
付記１に記載の放送受信装置。
【００６４】
（付記３）前記記憶領域は、各受信チャンネルの帯域を保持しており、
前記プロセッサは、輻射に対応する各高調波の周波数を算出し、
前記各高調波の周波数を帯域に含む各受信チャンネルをそれぞれ判定し、
判定結果に基づき劣化チャンネルリストを作成する、
付記２に記載の放送受信装置。
【００６５】
（付記４）前記プロセッサは、前記劣化チャンネルリストを参照し、第１の伝送クロックで劣化チャンネル以外の受信チャンネルをスキャンし、
前記プロセッサは、前記第１の動作クロックに係る各劣化チャンネルが含まれない第２の伝送クロックを選択し、
前記第２の伝送クロックで、前記第１の伝送クロックに係る劣化チャンネルをスキャンすることによりチャンネルスキャンをおこなう、
付記３に記載の放送受信装置。
【００６６】
（付記５）コンピュータが実行する放送受信方法であって、
指定チャンネルの帯域が、表示装置に第１の伝送クロックで信号を送信するときに生じる輻射の周波数に含まれるか否かを判定し、
前記指定チャンネルの帯域が前記輻射の周波数に含まれる場合、前記第１の伝送クロックを第２の伝送クロックに切り替える、
処理を実行する放送受信方法。
【００６７】
（付記６）コンピュータに、
指定チャンネルの帯域が、表示装置に第１の伝送クロックで信号を送信するときに生じる輻射の周波数に含まれるか否かを判定し、
前記指定チャンネルの帯域が前記輻射の周波数に含まれる場合、前記第１の伝送クロックを第２の伝送クロックに切り替える、
処理を実行させる放送受信プログラム。
【符号の説明】
【００６８】
１０  放送受信装置
１００  基板
１０１  受信回路
１０２  メモリ
１０３  コネクタ
１０４  コネクタ
１０５  コネクタ
１１０  プロセッサ
１１１  入力部
１１２  ＣＰＵ
１１３  出力部
１２０  入力装置
１３０  表示装置
【図１】
2014212455.tif 000003
【図２】
2014212455.tif 000004
【図３】
2014212455.tif 000005
【図４】
2014212455.tif 000006
【図５】
2014212455.tif 000007
【図６】
2014212455.tif 000008
【図７】
2014212455.tif 000009
【図８】
2014212455.tif 000010